(57)【要約】【課題】釣り人が釣竿を竿保持具から取り外す際の取り外し易さを維持しつつ、釣竿が竿保持具に確実に保持される釣竿を提供する。【解決手段】釣竿１０は、釣竿本体１３及び当該釣竿本体１３の後端部に設けられ、表面２２に開口する溝２６が形成された石突２１を有している。溝２６は、幅方向１０１に沿って延びている。溝２６は、石突２１の幅方向１０１の一端から他端に亘って延びている。溝２６の底面２９は、面２９Ａ、２９Ｂで構成されている。面２９Ａは、底面２９の幅方向１０１の両端部以外に形成された平面である。面２９Ｂは、底面２９の幅方向１０１の両端部に形成された湾曲面であり、幅方向１０１の外側に向かって漸次開口から遠ざかっている。【選択図】図３
2017104064.tif 000002
【特許請求の範囲】
【請求項１】
釣竿本体及び当該釣竿本体の後端部に設けられ、表面に開口する溝が形成された石突を有し、
上記溝は、上記釣竿本体の軸方向と交差する方向に延び、且つ上記溝の底面の両端部は、同方向外側に向かって漸次上記開口から遠ざかる面を形成している釣竿。
【請求項２】
上記底面の中央部は、その余の部分よりも隆起した湾曲面を形成している請求項１に記載の釣竿。
【発明の詳細な説明】
【技術分野】
【０００１】
この発明は、釣竿に関するものである。
【背景技術】
【０００２】
磯釣りにおいて石鯛等の大型魚がターゲットとなる場合、魚の大きな体重及び大きな泳力に対応して専用設計された釣竿が使用される（例えば特許文献１参照）。
【０００３】
図８は、例えば石鯛釣りにおける道具建てを模式的に示す図である。同図が示すように、釣竿１は、仕掛けが海中に投入された状態において、以下に詳述するように竿保持具２によって略水平に支持される。
【０００４】
竿保持具２は、釣り場３に固定される。釣竿１は、その後端部に石突４を備えている。図９（Ａ）が示すように、石突４は、その上面５に溝６を備えている。図８に示される竿保持具２の後支持部７が、上方から溝６に係合する。竿保持具２の前支持部８は、下方から釣竿１を支持する。
【０００５】
これにより、前支持部８と釣竿１との当接部分が支点となり、後支持部７と石突４との当接部分が力点となる。その結果、支点を中心とする釣竿１の自重により発生するモーメントと力点に作用する反力により発生するモーメントとが釣り合い、釣竿１が略水平状態に保持される。
【先行技術文献】
【特許文献】
【０００６】
【特許文献１】特開２００４−１５９５４４号公報
【発明の概要】
【発明が解決しようとする課題】
【０００７】
図９が示すように、溝６の底面９は、平面である。この場合、図９（Ｂ）が示すように、竿保持具２の後支持部７が湾曲していると、後支持部７と底面９とは、底面９の両端９Ａ、９Ｂにおいてのみ接触する。つまり、後支持部７と底面９とは、２箇所において線接触となる。また、この場合、後支持部７における底面９と接触しない部分、つまり後支持部７における幅方向１０１の中央部は、底面９と間隔を空けて底面９の上方に位置する。そのため、後支持部７の溝６に対する嵌りが小さくなる。すると、竿保持具２に支持された釣竿１が、強風にあおられたり、波をかぶったり、仕掛けにバイトした魚によって引かれたりした場合、釣竿１が竿保持具２から外れてしまうおそれがある。
【０００８】
この問題を解決するため、溝６を深く構成することが考えられる。しかし、溝６が深く構成されると、釣竿１が竿保持具２から外れにくくなる。その結果、釣り人が竿保持具２に支持された釣竿１を竿保持具２から素早く外して手に持って、フッキングすることが困難となる。
【０００９】
本発明はかかる背景のもとになされたものであって、その目的は、釣り人が釣竿を竿保持具から取り外す際の取り外し易さを維持しつつ、釣竿が竿保持具に確実に保持される釣竿を提供することにある。
【課題を解決するための手段】
【００１０】
(1) 本発明に係る釣竿は、釣竿本体及び当該釣竿本体の後端部に設けられ、表面に開口する溝が形成された石突を有する。上記溝は、上記釣竿本体の軸方向と交差する方向に延び、且つ上記溝の底面の両端部は、同方向外側に向かって漸次上記開口から遠ざかる面を形成している。
【００１１】
この構成によれば、釣竿本体の軸方向と交差する方向における溝の底面の両端部が、同方向外側に向かって漸次上記開口から遠ざかる面を形成している。そのため、竿保持具における底面と接触する部分が同方向に沿って湾曲している場合に、当該部分と底面とは、石突の同方向の両端部において面接触となる。また、竿保持具の溝に対する嵌りを図９（Ｂ）が示す従来の構成よりも大きくすることができる。以上より、釣竿を竿保持具に確実に保持することができる。
【００１２】
また、この構成によれば、溝における釣竿本体の軸方向と交差する方向の中央部の深さを、図９（Ｂ）が示す従来の構成と同等に維持することができる。これにより、釣り人が釣竿を竿保持具から取り外す際の取り外し易さを、従来の構成と同等に維持することができる。
【００１３】
(2) 上記底面の中央部は、その余の部分よりも隆起した湾曲面を形成している。
【００１４】
この構成によっても、上記(1)と同様の作用効果を奏することができる。
【発明の効果】
【００１５】
この発明によれば、釣り人が釣竿を竿保持具から取り外す際の取り外し易さを維持しつつ、釣竿を竿保持具に確実に保持することができる。
【図面の簡単な説明】
【００１６】
【図１】図１は、釣竿１０の正面図である。
【図２】図２は、竿保持具１２の外観斜視図である。
【図３】図３（Ａ）は、釣竿本体１３の要部拡大斜視図であり、図３（Ｂ）は、図３（Ａ）の釣竿本体１３が後支持部２４と当接した状態を示す。
【図４】図４（Ａ）は、図３（Ａ）のＡ−Ａ断面図であり、図４（Ｂ）は、図３（Ｂ）のＢ−Ｂ断面図である。
【図５】図５は、変形例における石突２１の溝２６部分の幅方向１０１に沿った断面図である。
【図６】図６は、変形例における石突２１の溝２６部分の幅方向１０１に沿った断面図である。
【図７】図７は、変形例における釣竿本体１３の要部拡大平面図である。
【図８】図８は、従来構成の釣竿１０の正面図である。
【図９】図９（Ａ）は、従来構成の釣竿本体１３の要部拡大斜視図であり、図９（Ｂ）は、図９（Ａ）の石突４のＣ−Ｃ断面図であり、当該石突４が竿保持具２の後支持部７と当接した状態を示す。
【発明を実施するための形態】
【００１７】
以下、本発明の好ましい実施形態が、適宜図面が参照されながら説明される。なお、本実施形態は、本発明に係る釣竿の一態様にすぎず、本発明の要旨を変更しない範囲で実施態様が変更されてもよいことは言うまでもない。
【００１８】
［構成］
【００１９】
図１は、本発明の一実施形態に係る釣竿１０の正面図である。同図では、釣竿１０が磯１１（釣り場）の所定位置において、竿保持具１２によって略水平に保持されている状態が示されている。
【００２０】
釣竿１０は、ターゲットとなる魚が石鯛等である大型魚専用竿である。両軸受けタイプの釣用リール１４が、釣竿１０の釣竿本体１３に装着されている。釣用リール１４から繰り出された釣糸１５の先端に、仕掛け（図示せず）が組み付けられている。仕掛けは、海中に投入されている。釣竿１０は、予め釣糸１５に所定の張力が発生するようにセットされている。釣人は、同図に示すように釣竿１０を配置し、魚のコンタクトを待つ。魚のコンタクトがあったとき、釣竿１０の先端部１６（穂先部）がさらに湾曲し振動する。釣人は、当該湾曲及び当該振動を魚のアタリとして把握する。
【００２１】
釣竿本体１３は、複数の節と呼ばれる部材から構成されている。本実施形態において、各節は、いわゆる並継形式により継がれている。各節は、円筒棒状に形成されている。各節は、既知の手段によって構成される。例えば、カーボンプリプレグが所定形状に裁断され、これが筒状に巻回されることによって、各節が形成される。なお、各節の継形式は、並継に限定されるものではなく、いわゆる振出形式等、既知の継形式が採用され得る。
【００２２】
釣用リール１４が装着される節は、特に元節と称される。元節の後端には、石突２１が設けられている。石突２１は、木材、樹脂、金属等により構成されている。石突２１は、釣竿１０がセットされるために、竿保持具１２が当接する部材である。なお、石突２１は、螺合などの既知の手段によって元節の後端に固定されている。
【００２３】
元節には、リールシート１８が設けられている。リールシート１８は、既知の構造を備えている。リールシート１８によって釣用リール１４が確実に釣竿本体１３に固定される。釣竿本体１３の所要の位置に、複数の釣糸ガイド１９が配設されている。釣糸１５は、これらの釣糸ガイド１９に支持され、釣竿本体１３に沿って送られる。
【００２４】
竿保持具１２は、いわゆるモーメント釣合タイプのものである。図２が示すように、竿保持具１２は、既知の構造を備えている。竿保持具１２は、本体部２５と、前支持部２３と、後支持部２４と、延出部３０とを備えている。本体部２５は、板状である。前支持部２３は、本体部２５の一端部から延びている。前支持部２３の先端部２３Ａは、概ねＵ字形状である。後支持部２４は、本体部２５の他端部から前支持部２３と同じ側に延びている。後支持部２４の先端部２４Ａは、概ね四角のリング形状である。当該四角のリング形状の各頂点部は、Ｒ面取りされている。つまり、当該各頂点部は、湾曲している。延出部３０は、本体部２５における前支持部２３及び後支持部２４の間から、前支持部２３及び後支持部２４とは逆向きに延びている。延出部３０の先端は、尖っている。
【００２５】
図１が示すように、竿保持具１２は、リールシート１８の後方部分２０及び石突２１を支持する。具体的には、リールシート１８の後方部分２０が、竿保持具１２の前支持部２３の先端部２３Ａ（図２参照）の上に載置されている。また、石突２１が、竿保持具１２の後支持部２４の先端部２４Ａ（図２参照）に下から当接している。
【００２６】
釣竿本体１３が前支持部２３の上に載置されることによって、リールシート１８の後方部分２０が前支持部２３により鉛直下方から上向きに支持される。これにより、前支持部２３と後方部分２０との当接部分を支点として、釣竿本体１３の自重等に基づくモーメントＭ１が発生する。
【００２７】
同時に、後支持部２４が石突２１に上から当接することによって、石突２１が後支持部２４により鉛直上方から下向きに支持される。これにより、後支持部２４と石突２１との当接部分を力点として、当該力点に作用する反力によりモーメントＭ２が発生する。モーメントＭ１、Ｍ２が釣り合うことにより、釣竿１０は略水平に保持される。
【００２８】
つまり、釣竿１０及び竿保持具１２によって、釣り合いが保たれた「てこ」が構成されており、前支持部２３と後方部分２０との当接部分が支点を構成し、釣用リール１４等が装着された釣竿１０全体の重心が作用点を構成し、後支持部２４と石突２１との当接部分が力点を構成している。
【００２９】
図３は、釣竿本体１３の要部拡大斜視図であり、石突２１の構成が詳細に図示されている。
【００３０】
石突２１は、プライウッド等の木材により構成されている。なお、石突２１は、木材に限らず、例えば樹脂や金属等により構成されていてもよい。石突２１は、釣竿本体１３の後端に連続するように取り付けられている。石突２１は、釣竿本体１３との境界部分から後方へ向かって、滑らかに扁平されている。石突２１の後端部分は、その断面が略矩形の板状となるように形成されている。
【００３１】
図３（Ａ）が示すように、石突２１は、その後端近傍に溝２６を備えている。溝２６は、石突２１の表面２２に開口している。溝２６の内壁面形状は矩形である。溝２６は、石突２１の幅方向１０１の一端から他端まで延びている。ここで、幅方向１０１は、釣竿本体１３の軸方向１０２に直交する方向である。
【００３２】
石突２１が上述したような形状に形成されており、且つ石突２１に溝２６が設けられているのは、図３（Ｂ）が示すように、竿保持具１２の後支持部２４が石突２１と係合し、確実に石突２１と当接するためである。
【００３３】
図３（Ａ）が示すように、溝２６は、第１側面２７と第２側面２８と底面２９とによって区画されている。
【００３４】
第１側面２７は、石突２１の後端部（釣竿１０における穂先と反対側の端部）を向いた面である。第２側面２８は、釣竿１０の先端部１６を向いた面である。第１側面２７及び第２側面２８は、釣竿本体１３の軸方向１０２において対向している。
【００３５】
底面２９は、第１側面２７の奥端と第２側面２８の奥端とを繋ぐ面である。底面２９の幅方向１０１の両端部以外は、溝２６の開口を向いている。図３（Ａ）及び図４（Ａ）が示すように、当該両端部以外は、軸方向１０２及び幅方向１０１に拡がる面２９Ａを形成している。
【００３６】
一方、底面２９の幅方向１０１の両端部は、湾曲している。当該両端部は、幅方向１０１の中央から両端へ向かうに従って開口から遠ざかるように湾曲している。つまり、当該両端部は、幅方向１０１外側に向かって漸次開口から遠ざかる面２６Ｂを形成している。以上より、底面２９は、面２９Ａ、２９Ｂによって構成されている。
【００３７】
本実施形態に係る釣竿１０は、次のようにして磯１１にセットされる。まず、竿保持具１２の延出部３０（図２参照）が磯１１に打ち込まれる。これにより、図１が示すように、竿保持具１２が磯１１に固定される。釣人は、仕掛けを海中に投入し、釣竿１０を竿保持具１２によって保持させる。このとき、リールシート１８の後方部分２０は、竿保持具１２の前支持部２３の上に載置され、石突２１は、竿保持具１２の後支持部２４が上方から当接する。これにより、釣竿１０は、略水平に保持される。なお、本実施形態では、竿保持具１２が磯１１に略水平に固定されることから、竿保持具１２によって保持された釣竿１０が略水平状態となるが、竿保持具１２が磯１１に対して傾斜した状態で固定された場合、釣竿１０は、磯１１に対して傾斜した状態で保持される。
【００３８】
図４（Ｂ）が示すように、釣竿１０が竿保持具１２によって保持された状態において、底面２９の面２９Ａと、後支持部２４の先端部２４Ａの内周の天面２４Ｂとが、当接している。また、底面２９の面２９Ｂと、先端部２４Ａの内周の端面２４Ｃとが、当接している。ここで、端面２４Ｃは、天面２４Ｂの両端と連続している面であり、先端部２４Ａの頂点部を構成している面である。
【００３９】
このように、面２９Ｂと端面２４Ｃとが当接した場合、面２９Ｂと端面２４Ｃとの当接部分は面接触となる。また、図４（Ｂ）が示す竿保持具１２の溝２６に対する嵌りを、図９（Ｂ）が示す従来の構成よりも大きくすることができる。以上より、竿保持具１２によって保持された状態の釣竿１０が、強風にあおられたり、波をかぶったり、仕掛けにバイトした魚によって引かれたりしても、石突２１は後支持部２４から離間し難い。以上より、釣竿１０を竿保持具１２に確実に保持することができる。
【００４０】
また、図４（Ｂ）に示される溝２６の深さＤ１は、図９（Ｂ）に示される溝６の深さＤ２と同等である。つまり、本実施形態における溝２６の深さは、従来の構成の溝の深さと同等である。これにより、釣り人が釣竿を竿保持具から取り外す際の取り外し易さを、従来の構成と同等に維持することができる。
【００４１】
［変形例］
【００４２】
上記実施形態では、図４（Ａ）が示すように、底面２９の幅方向１０１の両端部以外（面２９Ａ）は、平面であった。しかし、当該両端部以外は、平面に限らない。例えば、面２９Ａは、幅方向１０１の中央部がその余の部分よりも隆起した湾曲面を形成していてもよい。この場合、底面２９は、図５（Ａ）が示すように、幅方向１０１の一端から他端まで連続した湾曲面であってもよい。また、底面２９は、図５（Ｂ）が示すように、湾曲面である面２９Ａと、面２９Ａの幅方向１０１の両端と連続しており且つ面２９Ａと曲率の異なる湾曲面である面２９Ｂとで構成されていてもよい。
【００４３】
上記実施形態では、図４（Ａ）が示すように、底面２９の幅方向１０１の両端部（面２９Ｂ）は、湾曲面であった。しかし、当該両端部は、幅方向１０１外側に向かって漸次開口から遠ざかる面であれば、湾曲面に限らない。例えば、図６（Ａ）が示すように、面２９Ｂは、幅方向１０１外側に向かって漸次開口から遠ざかる平面であってもよい。また、図６（Ａ）では、面２９Ａ、２９Ｂが共に平面であるが、図６（Ｂ）が示すように、面２９Ａが湾曲面であり、且つ面２９Ｂが平面であってもよい。
【００４４】
上記実施形態では、溝２６は、軸方向１０２と直交する幅方向１０１に延びていた。しかし、溝２６は、軸方向１０２と交差する方向に延びていればよい。例えば、溝２６は、図７が示すように、幅方向１０１に対して傾斜した方向に延びていてもよい。
【符号の説明】
【００４５】
１０・・・釣竿
１１・・・磯
１２・・・竿保持具
１３・・・釣竿本体
１４・・・釣用リール
１５・・・釣糸
１６・・・先端部
１８・・・リールシート
１９・・・釣糸ガイド
２０・・・後方部分
２１・・・石突
２２・・・表面
２３・・・前支持部
２４・・・後支持部
２５・・・本体部
２６・・・溝
２７・・・第１側面
２８・・・第２側面
２９・・・底面
３０・・・延出部
１０１・・・幅方向
１０２・・・軸方向
【図１】
2017104064.tif 000003
【図２】
2017104064.tif 000004
【図３】
2017104064.tif 000005
【図４】
2017104064.tif 000006
【図５】
2017104064.tif 000007
【図６】
2017104064.tif 000008
【図７】
2017104064.tif 000009
【図８】
2017104064.tif 000010
【図９】
2017104064.tif 000011